(57)【要約】【課題】  構造が極めて簡単で安価に製造することができ、また、使用者が使用する際、左右にグラつくことなく安定した姿勢で足腰を屈伸させ、脚の屈伸ではエコノミー症候群を防止でき、腰の屈伸では腹筋などの筋力トレーニングを行うことができ、また、平衡感覚を養うことができる揺動座椅子を提供する。【解決手段】  本発明の揺動座椅子１０は、座部１１、背板部１２、これら両者を支承する支持体１３、一対の細長形状の第１束１５、これらの第１束１５の上端にそれぞれ固定された左右一対の肘掛部１６、各肘掛部１６の前方が屈曲して形成された第２束１６Ａ、上記座部１１、背板部１２及び肘掛部１６を支持体１３上面で前後に揺動自在に支持する支持軸１７を備え、且つ、座部１１前端部下面と支持体１３前端部上面の間、及び第２束１６Ａの下端面と床面の間にそれぞれ第１、第２弾性体１８、１９が介在している。【選択図】図１
2019054848.tif 000002
【特許請求の範囲】
【請求項１】
座部と、上記座部の後端部に連結された背板部と、上記座部及び上記背板部を支承する支持体と、上記座部後端部の左右両側面に上下方向に配置して固定された一対の細長形状の第１束と、上記一対の第１束の上端にそれぞれ固定された左右一対の肘掛部と、上記一対の第１束を上記支持体の左右両側に対して揺動自在に連結し且つ上記一対の第１束を介して上記座部の後端部側を軸にして上記座部、背板部及び肘掛部を上記支持体上で前後に揺動自在に支持する支持軸と、を備えた揺動座椅子であって、上記肘掛部の前方に下方へ屈曲する第２束が形成され、上記支持体の上側前端部及び／または上記第２束の下端部それぞれに第１、第２弾性体を設け、上記第１弾性体は上記座部と上記支持体の間に介在すると共に上記第２弾性体は上記第２束の下端部と床面との間に介在することを特徴とする揺動座椅子。
【請求項２】
上記第１、第２弾性体は、上記弾性体は、いずれもコイルスプリングまたは空気バネを主体に構成されていることを特徴とする請求項１に記載の揺動座椅子。
【発明の詳細な説明】
【技術分野】
【０００１】
本発明は、使用者が着座する座部の後端部を軸に座部を前後に揺動させることができる揺動座椅子に関し、更に詳しくは、例えば、休息時の使用者の足腰の屈伸により座部及び背板部を揺動させてエコノミー症候群を防止することができると共に腹筋等の筋力トレーニングを行うことができる揺動座椅子に関する。
【背景技術】
【０００２】
従来の揺動座椅子としてはロッキングチェアが広く知られている。ロッキングチェアは、通常、左右一対の前後の脚部の下端に細長い弓形の湾曲板が取り付けられ、使用者の重心の移動により湾曲板を介してロッキングチェアが前後に揺動するようになっている。従って、使用者がロッキングチェアに着座すればロッキングチェアが湾曲板を介して前後に揺れて穏やかな寛ぎのひと時を過ごすことができる。また、特許文献１、２にはバネを用いてロッキングチェアに準じた機能を有する椅子が開示されている。
【０００３】
特許文献１にはトレーニング機能を備えたロッキングチェアが開示されている。このロッキングチェアは、両側部に脚杆を固設した固定基板の上面に取り付けられ且つ当該固定基板と同一形状を呈する回転基板と、当該回転基板の両側部に取り付けられ且つ前後進自在に構成された左右一対の足掛け移動用杆と、これら一対の足掛け移動用杆の先端に角度調節用ラチェット機構を介してそれぞれ連結された左右一対の足掛け用杆と、これら一対の足掛け用杆の間に位置調節可能に架設された足掛け板と、上記回転基板の上面に設けられた枠体と、この枠体の上面に取り付けられた所要の背凭れ付き座体と、この枠体を東西南北の全方位に揺動自在に支持するコイルバネと、を備え、使用者は座ったままの姿勢で、コイルバネを介してロデオ的運動をすることで体力向上や血行の促進を図り、もって足首、膝、腰等の筋力向上を期することができる（段落[００１０]、[００１１]）とされている。従って、このロッキングチェアは、その発明の名称が示すように主にトレーニング用として開発されたものである。
【０００４】
また、特許文献２にはロッキングチェアのように揺動する揺動椅子が開示されている。この揺動椅子は、座部と、座部を受ける受部と、座部と受部のいずれか一方に設けられた凸部と、この凸部の周囲に前後左右均等に配置されて座部と受部を連結する弾性体と、を備え、使用者が座ったまま上半身をいずれかの方向に傾けるとその方向に座部が揺動するようになっている。この揺動椅子は、いずれの方向にも滑らかに揺動するため、使用者の臀部や腰部への負担がなく、安らぎを得られると同時に、身体の動きと体重圧迫の軽減により鬱血や腰痛の防止に効果がある（第１頁の[効果]）とされている。
【０００５】
【特許文献１】実用新案登録第３１３９７９０号
【特許文献２】特開２００５−０５８７１９号
【発明の開示】
【発明が解決しようとする課題】
【０００６】
しかしながら、特許文献１に記載のロッキングチェアは、コイルバネは自立しているため、使用者がロッキンチェアに着座すると、座体上での身体の重心移動により座体、背凭れがいずれの方向にも揺動し、着座姿勢が不安定である。また、このロッキングチェアは、足掛け移動用杆と足掛け用杆が角度調節用ラチェット機構を介し連結され、トレーニング用として足掛け用杆に架設された足掛け板に足を掛けて身体を屈伸させるようになっているため、ロッキングチェア自体の構造が複雑でありコスト的に高価になりがちである。特許文献２に記載の揺動椅子は、特許文献１に記載のロッキングチェアと比較して構造が簡単であるため特許文献１に記載のロッキングチェアと比較してコスト的に安価であるが、座部と受部が凸部周辺の前後左右に対称に配置された複数の弾性体によって連結されているため、互いに対称に配置された弾性体は座部がいずれの方向に傾斜する場合にも互いの弾力を相殺する方向に弾力が作用するため、腹筋等の筋力トレーニング時の弾力が小さくそれほど期待することができず、しかも特許文献１に記載のロッキングチェアと同様に座部がいずれの方向にも揺動するため姿勢が安定しないという課題があった。
【０００７】
本発明は、上記課題を解決するためになされたもので、構造が極めて簡単で安価に製造することができ、また、使用者、特に高齢者が長時間着座して寛ぐ際に、左右にグラつくことなく安定した姿勢で足腰を屈伸させることができ、脚部の屈伸ではエコノミー症候群を防止することができ、しかも腰の屈伸では腹筋などの筋力トレーニングを行うことができると共に平衡感覚を養うことができる揺動座椅子を提供することを目的としている。
【課題を解決するための手段】
【０００８】
本発明の請求項１に記載の揺動座椅子は、座部と、上記座部の後端部に連結された背板部と、上記座部及び上記背板部を支承する支持体と、上記座部後端部の左右両側面に上下方向に配置して固定された一対の細長形状の第１束と、上記一対の第１束の上端にそれぞれ固定された左右一対の肘掛部と、上記一対の第１束を上記支持体の左右両側に対して揺動自在に連結し且つ上記一対の第１束を介して上記座部の後端部側を軸にして上記座部、背板部及び肘掛部を上記支持体上で前後に揺動自在に支持する支持軸と、を備えた揺動座椅子であって、上記肘掛部の前方に下方へ屈曲する第２束が形成され、上記支持体の上側前端部及び／または上記第２束の下端部それぞれに第１、第２弾性体を設け、上記第１弾性体は上記座部と上記支持体の間に介在すると共に上記第２弾性体は上記第２束の下端部と床面との間に介在することを特徴とするものである。
【０００９】
また、本発明の請求項２に記載の揺動座椅子は、請求項１に記載の発明において、上記第１、第２弾性体は、いずれもコイルスプリングまたは空気バネを主体に構成されていることを特徴とするものである。
【発明の効果】
【００１０】
本発明によれば、造が極めて簡単で安価に製造することができ、また、使用者、特に高齢者が長時間着座して寛ぐ際に、左右にグラつくことなく安定した姿勢で足腰を屈伸させることができ、脚部の屈伸ではエコノミー症候群を防止することができ、しかも腰の屈伸では腹筋などの筋力トレーニングを行うことができると共に平衡感覚を養うことができる揺動座椅子を提供することができる。
【図面の簡単な説明】
【００１１】
【図１】本発明の揺動座椅子の一実施形態を示す斜視図である。
【図２】図１に示す揺動座椅子を示す側面図である。
【図３】図１に示す揺動座椅子を示す正面図である。
【図４】（ａ）は図１に示す揺動座椅子の弾性体の取付部分を示す模式、（ｂ）図は図１に示す揺動座椅子の座部、支持体及び第１束との関係を示す要部断面図である。
【図５】図１に示す揺動座椅子を使用している状態の側面を示す概念図である。
【発明を実施するための形態】
【００１２】
以下、図１〜図５を参照しながら本発明の揺動座椅子の一実施形態について説明する。
本実施形態の揺動座椅子１０は、例えば図１、図２に示すように、使用者が座る座部１１と、座部１１の後端部に下端部が連結された背板部１２と、座部１１及び背板部１２を支承する矩形状の支持体１３と、座部１１後端部の左右両側面に上下方向に向けて固定具（例えば、ネジ部材）１４を介して連結、固定された一対の細長形状の第１束１５（図４の（ｂ）参照）と、一対の第１束１５の上端にそれぞれ固定された左右一対の肘掛部１６と、一対の第１束１５を支持体１３の左右両側面に対して揺動自在に連結し且つ一対の第１束１５を介して支持体１３上で座部１１、背板部１２及び肘掛部１６を座部１１の後端部を軸に前後に揺動自在に支持する支持軸１７（図４の（ｂ）参照）と、を備えている。また、肘掛部１６の前方には図１〜図３に示すように下方に屈曲する第２束１６Ａが連設され、肘掛部１６と第２束１６Ａの側面形状がほぼＬ字状に形成されている。
【００１３】
図１、図２及び図４の（ａ）に示すように、支持体１３は、正面が床面に対して垂直な矩形状として形成されていると共に背面が床面と鋭角を成す傾斜面として形成されている。そして、支持体１３の底面が上面より奥行きがあり、座部１１等を安定的に支持することにより座部１１及び背板部１２の前後方向の揺動に対して安定する。支持体１３の上面前端部の左右には座部１１の前端部に弾力を付与する一対の第１弾性体１８が設けられている。この第１弾性体１８は、図４の（ａ）に示すように、コイルスプリング１８Ａと、コイルスプリング１８Ａの上端部に嵌め込まれた円柱状のゴム１８Ｂとを有している。ゴム１８Ｂは、コイルスプリング１８Ａの弾力にそれほど影響しない高さ形成されている。コイルスプリング１８Ａは、図４の（ａ）に示すように、下端が締結具１８Ｃを介して支持体１３の上面に固定されている。そして、弾性体１８は、ゴム１８Ｂが座部１１の下面に接触し、座部１１の前端部を支持体１３から弾力的に持ち上げ、座部１１の前端部が後端部から浮上し傾斜した状態になっている。第１弾性体１８の弾力は、必要に応じてコイルスプリング１８Ａの弾力の大きさを適宜選択することにより調整することができる。尚、第１弾性体１としてはは、ゴム１８Ｂを省略したものであっても良いことは云うまでもない。
【００１４】
また、他の弾性体１８としては、例えばコイルスプリング１８Ａの内側に座部１１の下面から垂下するガイド棒を設けると共に支持体１３の上面にはガイド棒が貫通する孔を設け、座部１８の揺動に伴ってコイルスプリング１８Ａが座部１１と支持体１３の間で伸縮すると共にガイド棒が支持体１３の孔を上下動するようにしても良い。このようにすることでコイルスプリング１８Ａを支持棒に従って安定的に伸縮させることができる。第１弾性体１８は、上述のものに制限されるものではなく、例えば空気バネ等の弾力を有するものを広く用いることができる。また、第１弾性体１８は、支持体１３の上面に左右にそれぞれ設けられた場合について説明したが、支持体１３の幅方向中央に一個だけ設けたものであっても良く、また、幅方向に複数設けたものであっても良い。座部１１と支持体１３との間に作用する弾力は、必要に応じて第１弾性体１８の数を適宜調整することによっても設定することができる。
【００１５】
また、各図に示すように、左右の第１束１６Ａの下端面にも床面との間に介在する第２弾性体１９がそれぞれ設けられている。この第２弾性体１９は、第１弾性体１８に準じて構成されている。従って、使用者が揺動座椅子１０に座って身体を前屈みにすると座部１１が第１、第２弾性体１８、１９の弾力に抗して前方に揺動することになり、足腰の筋力が第１、第２弾性体１８、１９の弾力によってトレーニングされるようになっている。
【００１６】
第１、第２弾性体１８、１９は、弾力が強ければ強いほど足腰の筋力トレーニングに好ましいが、これらの弾性体１８、１９は少なくともいずれか一方があれば、所要の筋力トレーニングを行うことができる。第１、第２弾性体１８、１９は、必要に応じて弾力を適宜設定することができるため、必要な弾力は少なくともいずれか一方の弾性体１８、１９によって達成することができる。弾性体が第１、第２弾性体１８、１９のいずれか一方であれば、弾力の大きさによって弾性体１８、１９が大型化しがちである。この場合には第１、第２弾性体１８、１９に弾力を分担させることができる。
【００１７】
また、第１束１５と第２束１６Ａは、図１〜図３に示すようにそれぞれの下端で細長形状の連結板２０を介して連結されている。連結板２０は真っ直ぐな水平板として形成され、その後端が第１束１５の後方へ突出している。肘掛部１６の後端部と連結板２０の後端部には補強板２１が連結板２０に対して傾斜して設けられている。この補強板２１は、揺動座椅子１０が後方へ揺動して連結板２０の後端が床面に接触した時の補強部材になる。そして、連結板２０の後端部の下面には弾性部材（例えば、ゴム）２２が取り付けられている。
【００１８】
このように本実施形態の揺動座椅子１０は、前後方向の一方向にのみ揺動するため、一方向で安定した揺動を繰り返し、特に高齢者が長時間使用すれば前後方向への揺動に対する平衡感覚か身に付き、使用者が安定した姿勢で寛ぎ安らぎを得ることができる。
【００１９】
而して、座部１１の後端と背板部１２の下端の間にはこれら両者を連結する従来公知の傾斜角調整機構（図示せず）が設けられ、傾斜角調整機構を介して座部１１と背板部１２の間の傾斜角度が適宜調整されるようになっている。また、座部１１と背板部１２の内部はそれぞれバネや発泡ウレタン等のクッション材によって形成され、使用者の臀部及び背中が座部１１及び背板部１２に馴染むように湾曲して形成されている。
【００２０】
支持体１３は、上述のように背面が傾斜する台形に形成されており、本実施形態では小物を収納する収納箱として形成されている。支持体１３は、筐体１３Ａと、筐体１３Ａに対してスライド機構（図示せず）を介して出し入れすることができる引き出し１３Ｂと、を有している。支持体１３は、例えばプラスチックや合板板等の木材によって形成することができる。従って、支持体１３は、身の回り品等の小物を収納する収納箱として使用することができる。また、支持体１３は、必ずしも箱状に形成されたものでなくても良く、例えば枠体として形成されたものであっても良い。
【００２１】
図４の（ｂ）に示すように、座部１１の後端部の左右側面には上下２本のネジ１４を介して一対の第１束１５が連結、固定され、また、この第１束１５が支持軸１７を介して支持体１３に対して揺動自在に取り付けられている。支持軸１７は、ナット１７Ａを介して支持体１３の側面に第１束１５を揺動自在に連結している。そして、座部１１下面の後端部には例えば左右一対の突起１１Ａが球面状に形成され、座部１１は左右一対の突起１１Ａを介して支持体１３の上面に点接触している。また、座部１１は、図４の（ｂ）に示すように前端部が左右一対の第１弾性体１８を介して支持体１３の上面前端部で浮上し、弾力的に支持されている。
【００２２】
次に、本実施形態の揺動座椅子１０を使用する場合について説明する。使用者が揺動座椅子１０の座部１１に着座し、揺動座椅子１０に深く腰掛けると、臀部と背中がそれぞれ座部１１と背板部１２に納まり、図５に示すように両足を床面に降ろし静止することで長時間に亘りゆっくりと寛ぐことができる。
【００２３】
この時、足を使って背筋を伸ばしたり、縮めたりする際に、両足で床面を押しながら背中を後方に倒して足腰を伸ばした後、両足で床面を引っ張る力を加えると同時に太腿で座部１１の前端部に第１、第２弾性体１８、１９の弾力に抗して力を加えると、座部１１が図１に矢印で示すように時計方向へ揺動して第１、第２弾性体１８、１９を最も圧縮する。この時、腹筋や太腿の筋肉に第１、第２弾性体１８、１９からの反発力が作用する。引き続き、両足で床面を押すと共に身体を伸ばすと共に太腿の力を抜き、身体を後方へ倒すと、第１、第２弾性体１８、１９を反発力により座部１１が反時計方向へ揺動して背筋、腹筋等が弛緩する。
【００２４】
このように使用者が揺動座椅子１０に腰かけた状態で足腰を使って身体を前後に屈伸させることにより腹筋、背筋及び足の筋肉が伸縮してそれぞれの筋力をトレーニングすることができる。また、このような前後方向の屈伸運動により、平衡感覚が身に付き、脚部の血流を促すことによるエコノミー症候群を防止することができる。特に、高齢者は長く腰掛けることが多く、運動不足になりがちであるが、このように揺動座椅子１０に着座した状態で足腰を使って身体を屈伸することにより、足腰の筋力を刺激し、筋力の衰えを補強することができると共に、長時間の着座によるエコノミー症候群を防止することができる。また、使用者は、揺動座椅子１０の前後方向のみの一方向への揺動動作により平衡感覚を維持することができる。
【００２５】
以上説明したように本実施形態によれば、揺動座椅子１０の座部１１と支持体１３の間と左右一対の第２束１６Ａの下端に第１、第２弾性体１８、１９をそれぞれ設けたため、揺動座椅子１０の構造が極めて簡単で安価に製造することができ、また、使用者、特に高齢者の場合には長時間に亘って着座している時に、左右にグラつくことなく安定した姿勢で足腰を屈伸させることができ、座ったままの姿勢で足腰を第１、第２弾性体１８、１９の弾力に抗して屈伸させるため、腹筋などの筋力トレーニングを行うことができると共に、脚部の屈伸では脚部の血流を促してエコノミー症候群を防止することができる。
【００２６】
尚、本発明は上記実施形態に何ら制限されるものではなく、必要に応じて各構成要素を適宜設計変更することができる。
【符号の説明】
【００２７】
１０    揺動座椅子
１１    座部
１２    背板部
１３    支持体
１５    第１束
１６    肘掛部
１６Ａ  第２束
１７    支持軸
１８、１９    弾性体
【図１】
2019054848.tif 000003
【図２】
2019054848.tif 000004
【図３】
2019054848.tif 000005
【図４】
2019054848.tif 000006
【図５】
2019054848.tif 000007
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
座部と、上記座部の後端部に連結された背板部と、上記座部及び上記背板部を支承する支持体と、上記座部後端部の左右両側面に上下方向に配置して固定された一対の細長形状の第１束と、上記一対の第１束の上端にそれぞれ固定された左右一対の肘掛部と、上記一対の第１束を上記支持体の左右両側に対して揺動自在に連結し且つ上記一対の第１束を介して上記座部の後端部側を軸にして上記座部、背板部及び肘掛部を上記支持体上で前後に揺動自在に支持する支持軸と、を備えた揺動座椅子であって、上記肘掛部の前方に下方へ屈曲する第２束が形成され、上記支持体の上側前端部及び／または上記第２束の下端部に対応させて第１、第２弾性体の少なくともいずれか一つを設け、上記第１弾性体を設けた場合には上記第１弾性体は上記座部と上記支持体の間に介在し、また、上記第２弾性体を設けた場合には上記第２弾性体は上記第２束の下端部と床面との間に介在することを特徴とする揺動座椅子。
【請求項２】
上記第１、第２弾性体は、いずれもコイルスプリングまたは空気バネを主体に構成されていることを特徴とする請求項１に記載の揺動座椅子。
【手続補正２】
【補正対象書類名】明細書
【補正対象項目名】０００８
【補正方法】変更
【補正の内容】
【０００８】
本発明の請求項１に記載の揺動座椅子は、座部と、上記座部の後端部に連結された背板部と、上記座部及び上記背板部を支承する支持体と、上記座部後端部の左右両側面に上下方向に配置して固定された一対の細長形状の第１束と、上記一対の第１束の上端にそれぞれ固定された左右一対の肘掛部と、上記一対の第１束を上記支持体の左右両側に対して揺動自在に連結し且つ上記一対の第１束を介して上記座部の後端部側を軸にして上記座部、背板部及び肘掛部を上記支持体上で前後に揺動自在に支持する支持軸と、を備えた揺動座椅子であって、上記肘掛部の前方に下方へ屈曲する第２束が形成され、上記支持体の上側前端部及び／または上記第２束の下端部に対応させて第１、第２弾性体の少なくともいずれか一つを設け、上記第１弾性体を設けた場合には上記第１弾性体は上記座部と上記支持体の間に介在し、また、上記第２弾性体を設けた場合には上記第２弾性体は上記第２束の下端部と床面との間に介在することを特徴とするものである。